(57)【要約】【課題】  作業者の技量に頼ることなく、安定した締付け量が得られる厨芥処理装置取付け用締付けバンド体を提供する。【解決手段】  取付け管の下端部に外嵌状に接続配置されるゴム連結管、および処理装置本体の上端部に外嵌状に接続配置されるゴム連結管の外周を囲繞して締付け固定するため締付けバンド体１２、１３は、両端部が重合されて円環状に形成された帯状バンド体１２ａ、１３ａを備える。帯状バンド体１２ａ、１３ａに固定されたハウジング部１２ｂ、１３ｂに、帯状バンド体１２ａ、１３ａに係合するウォームを有するウォームネジ軸１２ｃ、１３ｃが回動操作自在に支持される。ウォームネジ軸１２ｃ、１３ｃの締付け方向回動操作により帯状バンド体１２ａ、１３ａが縮径されてウォームネジ軸１２ｃ、１３ｃに接離自在に当接し、締付け方向回動操作を規制する突起部１２ｅ、１３ｅが帯状バンド体１２ａ、１３ａに設けられる。【選択図】    図３
2006000767.tif 000002
【特許請求の範囲】
【請求項１】
シンクの排水口に取り付けられるシンク取付け体の下端部に外嵌状に接続配置される可撓筒体、および／または厨芥を破砕する処理装置本体の上端部に外嵌状に接続配置される可撓筒体の外周を囲繞して締付け固定するための厨芥処理装置取付け用締付けバンド体において、
前記締付けバンド体に、締付け量規定位置を示すマーク部が設けられていることを特徴とする厨芥処理装置取付け用締付けバンド体。
【請求項２】
請求項１に記載の厨芥処理装置取付け用締付けバンド体において、
前記締付けバンド体は、両端部が重合されて円環状に形成された帯状バンド体と、重合部分における内側の帯状バンド体に固定されたハウジング部に回動操作自在に支持されると共に、重合部分における外側に位置する帯状バンド体に形成された係合溝に係合するウォームを有するウォームネジ軸とを備え、
前記マーク部は、前記帯状バンド体に設けられると共に、前記ウォームネジ軸の締付け方向回動操作により帯状バンド体が縮径されてウォームネジ軸に接離自在に当接し、締付け方向回動操作を規制する突起部からなることを特徴とする厨芥処理装置取付け用締付けバンド体。
【発明の詳細な説明】
【技術分野】
【０００１】
本発明は、厨房の生ゴミ等を破砕する厨芥処理装置における可撓筒体を締付け固定するための厨芥処理装置取付け用締付けバンド体に関するものである。
【背景技術】
【０００２】
従来、この種の厨芥処理装置においては、シンクの排水口に筒状構造のシンク取付け体を取り付け、可撓筒体としての防振ゴムの上端部をシンク取付け体の下端部に外嵌状に装着すると共に、防振ゴムの下端部を厨芥が破砕処理される処理装置本体の上端部に外嵌状に装着し、防振ゴムにおけるこれら外嵌部分における外周を囲繞して帯状の締付けバンド体で締付け固定することにより、処理装置本体を吊持状態として取り付ける構造のものがあった（例えば、特許文献１〜特許文献３参照。）。
【０００３】
【特許文献１】実開昭４８−１０７１５号公報
【特許文献２】特開平１１−５７３号公報
【特許文献３】特開２００１−２０５１３０号公報
【発明の開示】
【発明が解決しようとする課題】
【０００４】
しかしながら、このような締付けバンド体の締付け量は、施工を行う作業者の感覚に左右されるおそれがあり、締付け量の不足や過多を招き、確実な施工を行うことが難しかった。そして、締付け量が不足した場合には水漏れ等のトラブルを招く原因となり、逆に、締付け量過多の場合には防振ゴムの過剰な変形によって、防振ゴムの損傷等のトラブルを招くというおそれがあった。
【０００５】
そこで、本発明はこれらの問題点に鑑み、作業者の技量に頼ることなく、安定した締付け量が得られる厨芥処理装置取付け用締付けバンド体を提供することを目的とする。
【課題を解決するための手段】
【０００６】
上記課題を解決するための技術的手段は、シンクの排水口に取り付けられるシンク取付け体の下端部に外嵌状に接続配置される可撓筒体、および／または厨芥を破砕する処理装置本体の上端部に外嵌状に接続配置される可撓筒体の外周を囲繞して締付け固定するための厨芥処理装置取付け用締付けバンド体において、前記締付けバンド体に、締付け量規定位置を示すマーク部が設けられている点にある。
【０００７】
また、前記締付けバンド体は、両端部が重合されて円環状に形成された帯状バンド体と、重合部分における内側の帯状バンド体に固定されたハウジング部に回動操作自在に支持されると共に、重合部分における外側に位置する帯状バンド体に形成された係合溝に係合するウォームを有するウォームネジ軸とを備え、前記マーク部は、前記帯状バンド体に設けられると共に、前記ウォームネジ軸の締付け方向回動操作により帯状バンド体が縮径されてウォームネジ軸に接離自在に当接し、締付け方向回動操作を規制する突起部からなる構造としてもよい。
【発明の効果】
【０００８】
以上のように、本発明の厨芥処理装置取付け用締付けバンド体によれば、締付けバンド体に、締付け量規定位置を示すマーク部が設けられているため、マーク部が所望の締付け量規定位置に到達するまで締付け操作するだけで、最適な締付け量が確保でき、作業者の技量に頼ることなく、安定した締付け量が容易に得られ、施工の確実性が向上する。そして、施工後の締付け量の確認においてもマーク部の位置により一目で確認することができる利点がある。
【０００９】
また、締付けバンド体は、両端部が重合されて円環状に形成された帯状バンド体と、重合部分における内側の帯状バンド体に固定されたハウジング部に回動操作自在に支持されると共に、重合部分における外側に位置する帯状バンド体に形成された係合溝に係合するウォームを有するウォームネジ軸とを備え、前記マーク部は、帯状バンド体に設けられると共に、ウォームネジ軸の締付け方向回動操作により帯状バンド体が縮径されてウォームネジ軸に接離自在に当接し、締付け方向回動操作を規制する突起部からなる構造とすれば、締付けバンド体におけるウォームネジ軸を突起部に当接するまで締付け方向に回動操作していけばよく、ウォームネジ軸が突起部に当接した状態においては所望の最適な締付け量となっており、ウォームネジ軸のそれ以上の締付け方向の回動操作が規制されるため、締付け過ぎによるトラブルを有効に防止できると共に、突起部が当接するまで締め付けることによって締付け不足によるトラブルも有効に防止できる。
【００１０】
従って、締付け量を気にせずに、単にウォームネジ軸を突起部が当接するまで締付け方向に回動操作するだけでよく、作業性に優れる利点もある。
【発明を実施するための最良の形態】
【００１１】
以下、本発明の実施形態を図面に基づいて説明すると、図１および図２に示される如く、厨芥処理装置１は、流し台におけるシンク２の排水口３に、パッキンを介して水密状にリングナット５により締付け固定されるシンク取付け体としての取付け管６を備え、取付け管６の下端部に防振機構７を介して処理装置本体８の上端部が吊持される構造とされている。
【００１２】
防振機構７は、ゴム材により断面円形の筒状に形成された可撓筒体としてのゴム連結管１０を備え、ゴム連結管１０は、上部の厚肉に形成された上リジッド連結部１０ａと、下部の厚肉に形成された下リジッド連結部１０ｂと、これら上リジッド連結部１０ａと下リジッド連結部１０ｂとの間の外方膨出状に湾曲形成された薄肉の振動吸収筒部１０ｃとから構成されている。
【００１３】
また、上リジッド連結部１０ａの内周面には、取付け管６の下端部に径方向外方に張出形成された周方向環状の張出係合部が挿入される凹溝部が形成されており、下リジッド連結部１０ｂの内周面には、処理装置本体８における上ケーシング１１の上端部に径方向外方に張出形成された周方向環状の張出係合部が挿入される凹溝部が形成されている。
【００１４】
そして、ゴム連結管１０の上リジッド連結部１０ａが取付け管６の下端部に外嵌されて、張出係合部が凹溝部に挿入されると共に、外周部を囲繞する締付けバンド体１２により締付け固定され、下リジッド連結部１０ｂが上ケーシング１１の上端部に外嵌されて、張出係合部が凹溝部に挿入されると共に、外周部を囲繞する締付けバンド体１３により締付け固定され、ここに、取付け管６と処理装置本体８の上ケーシング１１とがゴム連結管１０を介して互いに連結される構造とされている。
【００１５】
この際、本実施形態にあっては、図３や図４にも示されるように、各締付けバンド体１２、１３は、いわゆるホースバンドと同様の構造とされており、両端部が重合されて円環状に形成された帯状金属板からなる帯状バンド体１２ａ、１３ａと、重合部分における内側の帯状バンド体１２ａ、１３ａに固定されたハウジング部１２ｂ、１３ｂに、帯状バンド体１２ａ、１３ａの接線方向の軸心を有して回動操作自在に支持されたウォームネジ軸１２ｃ、１３ｃとを備えた構造とされている。
【００１６】
そして、ウォームネジ軸１２ｃ、１３ｃのハウジング部１２ｂ、１３ｂ内に位置して備えられたウォームが、帯状バンド体１２ａ、１３ａの重合部分における外側に位置する帯状バンド体１２ａ、１３ａに形成された係合溝１２ｄ、１３ｄに係脱自在に係合されており、ウォームネジ軸１２ｃ、１３ｃの正逆回動操作によってウォームに係合する係合溝１２ｄ、１３ｄが相対的に進退移動され、帯状バンド体１２ａ、１３ａにおける内径が縮径・拡径操作されるように構成されている。
【００１７】
特に、本実施形態においては、帯状バンド体１２ａ、１３ａの所定位置、即ち締付け量規定位置に対応して径外方に突出するマーク部としての突起部１２ｅ、１３ｅが設けられており、ウォームネジ軸１２ｃ、１３ｃを締付け方向に回動操作していけば、帯状バンド体１２ａ、１３ａの内径が漸次縮径されていき、突起部１２ｅ、１３ｅがウォームネジ軸１２ｃ、１３ｃに接離自在に当接すれば、それ以降の締付け方向回動操作が規制され、それ以上の締付け操作が不能となる構造とされている。
【００１８】
そして、この突起部１２ｅ、１３ｅがウォームネジ軸１２ｃ、１３ｃに当接して締付け操作が不能となった状態で、各締付けバンド体１２、１３よるゴム連結管１０の上リジッド連結部１０ａや下リジッド連結部１０ｂに対する締付け量が最適な内径となるように、突起部１２ｅ、１３ｅの位置が設定されている。
【００１９】
また、取付け管６の下端部と上ケーシング１１の上端部との相互間におけるゴム連結管１０内に位置して、筒状の金属製支持体１４が配置されている。この支持体１４は取付け管６下端部の内径、もしくは上ケーシング１１上端部の内径と略同径の内径を有する円筒状に形成されており、支持体１４の上端外周には径方向外方に張出状とされた周方向環状の上係合ツバ部を備えると共に、支持体１４の下端外周には径方向外方に張出状とされた周方向環状の下係合ツバ部を備えた構造とされている。
【００２０】
そして、上リジッド連結部１０ａの凹溝部に支持体１４の上係合ツバ部が嵌入されると共に、下リジッド連結部１０ｂの凹溝部に支持体１４の下係合ツバ部が嵌入された状態で、ゴム連結管１０内に支持体１４が配置されている。
【００２１】
ここに、上ケーシング１１、即ち処理装置本体８は、取付け管６側に、ゴム連結管１０や支持体１４等からなる防振機構７を介して吊下げ状態で支持された構造とされている。
【００２２】
前記処理装置本体８は、平面視円形の回転板１６と、回転板１６を回転駆動する駆動手段としてのモータ１７と、回転板１６の上面に径方向に離隔して揺動自在に取り付けられた一対のハンマの一例としてのスイングハンマ１８と、各スイングハンマ１８の回転軌跡外方に対応して設けられた固定刃１９と、これら回転板１６、スイングハンマ１８、固定刃１９等を収容する下ケーシング２０および該下ケーシング２０上に連結される前記上ケーシング１１とを備えている。
【００２３】
前記下ケーシング２０には、上方に開口する円形凹状の処理凹部２０ａと、その処理凹部２０ａの底部２０ｂから下ケーシング２０の一側面に連通する排出路２０ｃとが設けられており、処理凹部２０ａの底部２０ｂは他側より一側の前記排出路２０ｃ方向に漸次下降傾斜する傾斜状に構成されている。また、排出路２０ｃには排出管２１が連結されている。
【００２４】
そして、処理凹部２０ａ内における中央部には、スイングハンマ１８が取り付けられた回転板１６が備えられ、処理凹部２０ａの内周面に沿って固定刃１９が備えられた構造とされている。
【００２５】
前記上ケーシング１１は、断面略円形の筒形状を有しており、下ケーシング２０の処理凹部２０ａの開口部に連なるようにして、下ケーシング２０とボルト締結等により着脱自在に連結固定される構造とされている。
【００２６】
前記固定刃１９は円筒状に配置された円筒状刃体部と、該円筒状刃体部の上端部外周に径方向外方に向けて張出形成された周方向環状の取付ツバ部とからなり、円筒状刃体部は、下ケーシング２０の処理凹部２０ａ内に嵌まり込む円筒形の形状を有しており、複数のスリット２２が周方向に沿って等間隔で設けられた構造とされている。従って、固定刃１９は各スリット２２によって分割されたいわゆる櫛歯状に構成されている。
【００２７】
そして、下ケーシング２０の処理凹部２０ａに固定刃１９の円筒状刃体部が嵌合された状態で、下ケーシング２０に対しパッキン２３を介して上ケーシング１１が連結固定され、固定刃１９は下ケーシング２０と上ケーシング１１とにより回り止め状態で挟持状に保持される構造とされている。
【００２８】
前記回転板１６は、固定刃１９における円筒状刃体部の内径よりも僅かに小さい外径を有する円板状の板部材とされ、下ケーシング２０の下面側から処理凹部２０ａ内に挿入されたモータ１７の駆動軸１７ａに固定されている。さらに、回転板１６の下面側に、各スイングハンマ１８の取付け位置と対応させて、回転板１６を補強するための補強板１６ａが重合状として一体的に固着されている。また、回転板１６における補強板１６ａを避けた位置には、回転板１６によって上下に仕切られる上部の破砕室２４と下部の排出室２５とを連通状とする水抜き孔が、適宜形成されている。
【００２９】
また、厨芥投入口を構成する取付け管６の下端部に、ゴムや樹脂等の弾性体からなるスプラッシュガード２８が着脱自在に備えられており、その上部には封水キャップ２９が着脱自在に備えられている。
【００３０】
そして、厨芥の処理に際しては、厨芥を厨芥投入口としての取付け管６を介して処理装置本体８内の破砕室２４に水と共に投入し、モータ１７の駆動により回転板１６が回転駆動されると、回転板１６に伴って回転するスイングハンマ１８の衝突によって厨芥が破砕されると共に、スイングハンマ１８とその回転軌跡の外方に位置した固定刃１９における円筒状刃体部との協働による剪断によって破砕され、その後、破砕された厨芥は、小さな粒子となって下方の排出室２５に導かれ、底部２０ｂの傾斜に沿って水と共に排出路２０ｃに案内され、排出管２１を通じて図示省略のトラップ、横引き管を介して排出される。
【００３１】
本実施形態は以上のように構成されており、厨芥処理装置１の取付け施工に際しては、シンク２上部から排水口３に取付け管６を取付け、シンク２下部から処理装置本体８を防振機構７を介して取付け管６に接続する。この取付けに際して、作業者は各締付けバンド体１２、１３の締付け作業を行うが、この締付け作業に際しては、作業者はウォームネジ軸１２ｃ、１３ｃを締付け方向に回動操作していけば、最終的に突起部１２ｅ、１３ｅがウォームネジ軸１２ｃ、１３ｃに当接してそれ以降の締付け方向回動操作ができなくなり、この時点で締付け作業を終了すればよい。
【００３２】
従って、作業者は締付け量を気にせずに、単にウォームネジ軸１２ｃ、１３ｃを突起部１２ｅ、１３ｅが当接するまで締付け方向に回動操作するだけでよく、作業性に優れる利点がある。
【００３３】
また、ウォームネジ軸１２ｃ、１３ｃが突起部１２ｅ、１３ｅに当接した状態においては所望の最適な締付け量となっており、ウォームネジ軸１２ｃ、１３ｃのそれ以上の締付け方向の回動操作が規制されるため、締付け過ぎによるトラブルを有効に防止できると共に、突起部１２ｅ、１３ｅが当接するまで締め付けることによって締付け不足によるトラブルも有効に防止できる。ここに、作業者の技量に頼ることなく、最適な締付け量が安定して容易に得られ、施工の確実性が向上する。
【００３４】
さらに、施工後の締付け量の確認においても突起部１２ｅ、１３ｅの位置により一目で確認することができる利点がある。
【００３５】
また、本実施形態における締付けバンド体１２、１３においては、市販のホースバンドにおける帯状バンド体１２ａ、１３ａに、厨芥処理装置１における締付け固定部分のサイズに応じて、締付け量が最適となる位置に対応して突起部１２ｅ、１３ｅを形成するだけでよく、前記特許文献１ないし特許文献３に開示のように厨芥処理装置に応じた専用構造の締付けバンドを製作する場合と比較して、コスト低減が図れる利点もある。
【００３６】
なお、前記実施形態においては、マーク部として突起部１２ｅ、１３ｅを設けた構造を示しているが、ウォームに係合する係合溝１２ｄ、１３ｄを充填部材等により潰した状態のマーク部を形成することによって、ウォームネジ軸１２ｃ、１３ｃの締付け方向の回動操作を規制する構造としてもよく、さらには、視認性に優れる目印となるその他の形状等のマークを施す構造であってもよい。
【図面の簡単な説明】
【００３７】
【図１】本発明の実施形態にかかる厨芥処理装置の概略側面図である。
【図２】同断面図である。
【図３】締付けバンド体の平面図である。
【図４】帯状バンド体の要部側面図である。
【符号の説明】
【００３８】
１  厨芥処理装置
２  シンク
３  排水口
６  取付け管
７  防振機構
８  処理装置本体
１０  ゴム連結管
１２  締付けバンド体
１２ａ  帯状バンド体
１２ｂ  ハウジング部
１２ｃ  ウォームネジ軸
１２ｄ  係合溝
１２ｅ  突起部
１３  締付けバンド体
１３ａ  帯状バンド体
１３ｂ  ハウジング部
１３ｃ  ウォームネジ軸
１３ｄ  係合溝
１３ｅ  突起部
【図１】
2006000767.tif 000003
【図２】
2006000767.tif 000004
【図３】
2006000767.tif 000005
【図４】
2006000767.tif 000006